(57)【要約】【課題】壁に排水管が設置されたトイレルームの床への便器の位置決めを簡単に行うための固定補助具を提案する。【解決手段】本発明は、便器を固定するための固定孔の形成位置を示すために、壁１０に排水管２が設置されたトイレルームの床１１に置いて用いられる固定補助具１００である。固定補助具１００は、床１１に置かれるベース部３と、ベース部３から起立して設けられる起立部４と、起立部４から突出して設けられ、排水管２の周面２１０に当たることで位置決めされるガイド部５と、ベース部３に上方から視認可能に設けられ、前記形成位置を示す目印部６と、を備える。【選択図】図１
2015105475.tif 000002
【特許請求の範囲】
【請求項１】
便器を固定するための固定孔の形成位置を示すために、壁に排水管が設けられたトイレルームの床に置いて用いられる固定補助具であって、
前記床に置かれるベース部と、
前記ベース部から起立して設けられる起立部と、
前記起立部から突出して設けられ、前記排水管の周面に当たることで位置決めされるガイド部と、
前記ベース部に上方から視認可能に設けられ、前記形成位置を示す目印部と、
を備えることを特徴とする固定補助具。
【発明の詳細な説明】
【技術分野】
【０００１】
本発明は、床への便器の固定に用いられる固定補助具に関する。
【背景技術】
【０００２】
従来から、特許文献１等によって、壁側に移動させることで、壁に設置された排水管に便器排水口が接続され、その後、床に固定される便器が提案されている。
【先行技術文献】
【特許文献】
【０００３】
【特許文献１】特開２００５−１０５５７５号公報
【発明の概要】
【発明が解決しようとする課題】
【０００４】
特許文献１の便器は、便器排水口から排出される汚水等を排水管内にスムーズに流すために、便器排水口を排水管にまっすぐ接続する必要があり、このとき、便器の向きの微調整が必要となるため、床への位置決めが難しかった。
【０００５】
そこで、本発明は、壁に排水管が設置されたトイレルームの床への便器の位置決めを簡単に行うための固定補助具を提案することを課題とする。
【課題を解決するための手段】
【０００６】
上記課題を解決するために本発明の固定補助具は、便器を固定するための固定孔の形成位置を示すために、壁に排水管が設置されたトイレルームの床に置いて用いられる固定補助具であって、前記床に置かれるベース部と、前記ベース部から起立して設けられる起立部と、前記起立部から突出して設けられ、前記排水管の周面に当たることで位置決めされるガイド部と、前記ベース部に上方から視認可能に設けられ、前記形成位置を示す目印部と、を備えることを特徴とする。
【発明の効果】
【０００７】
本発明の固定補助具は、ベース部を床に置き、ガイド部を排水管の周面に当てることで、床における便器の固定孔の形成位置を目印部によって示すことができる。つまり、本発明の固定補助具を用いることで、床の決まった位置に便器の固定孔を簡単に形成することができ、この固定孔に便器を固定することで、床への便器の位置決めを簡単に行うことができる。
【図面の簡単な説明】
【０００８】
【図１】本発明の第一実施形態の固定補助具を示し、（ａ）は排水管に接続する前の状態の斜視図であり、（ｂ）は排水管に接続した状態の側面図であり、（ｃ）は排水管に接続した状態の平面図であり、（ｄ）は（ｂ）のＡ−Ａ´線における断面図である。
【図２】（ａ）〜（ｄ）は便器の設置手順の一例を示す説明図である。
【図３】本発明の第二実施形態の固定補助具を示し、（ａ）は排水管に接続する前の状態の斜視図であり、（ｂ）は排水管に接続した状態の平面図である。
【図４】本発明の第三実施形態の固定補助具を示し、（ａ）は排水管に接続する前の状態の斜視図であり、（ｂ）は排水管に接続した状態の接続部位の断面図である。
【発明を実施するための形態】
【０００９】
以下、本発明の実施形態について添付図面に基づいて説明する。
【００１０】
図１には、本発明の第一実施形態の固定補助具１００が示されている。固定補助具１００は、壁１０に排水管２が設置されたトイレルームにおいて使用されるものであり、トイレルームの床１１に、便器７を固定するための固定孔８の形成位置を示すためのものである。
【００１１】
固定補助具１００は、床１１に置き、排水管２に接続させて用いられ、この接続状態において床１１に便器７の固定孔８の形成位置を示す。以下では、排水管２に対して固定補助具１００が配置される側を前方とし、その反対側を後方とし、この前後方向に対して直交する水平方向を左右方向として、各構成について説明する。
【００１２】
排水管２は、上流側の端部が壁１０から前方に突出するように壁１０に設置されている。排水管２は、上流側の端部が所定の高さに位置するように壁１０に設置されている。この所定の高さとは、便器７が有する排水口７０の高さと同じである。排水管２は、下流側の端部が下水管に接続されている。
【００１３】
なお、壁１０は、トイレルームの後側の壁に限らず、トイレルームの後壁の前に設置された収納箱の前壁も含む。ここでいう収納箱とは、トイレルームの後側の壁ではなく床１１を通じてトイレルーム内に配管された排水管２のうち上流側の端部を除く部分を収納する箱である。
【００１４】
排水管２の上流側の端部は、円筒状であり、小径部２０とこれに連続する大径部２１とを有する。大径部２１は、小径部２０よりも前側（上流側）に位置し、小径部２０よりも外径及び内径が大きい。小径部２０は、大径部２１に連続する前端部が、前側ほど大径部２１の径に近づくよう徐々に径が大きくなるように形成されている。大径部２１と小径部２０とは同心円状である。排水管２は、大径部２１に固定補助具１００が接続される。
【００１５】
固定補助具１００は、ベース部３、起立部４、ガイド部５、及び目印部６を備える。ベース部３は、シート状であり、床１１に置かれる。本実施形態では、ベース部３は平面視矩形状である。なお、ベース部３は、平面視矩形状に限らず、他の平面視形状を有するものであってもよい。ベース部３からは起立部４が略垂直に起立させて設けられている。また、ベース部３には、便器７を固定するための固定孔８の形成位置を示す目印部６が、上方から視認可能に設けられている。
【００１６】
起立部４は、本実施形態では、中空の三角柱状である。なお、起立部４は、中空の四角柱状であってもよい。起立部４は、ベース部３と一体に設けられる。起立部４は、上端が排水管２の大径部２１の上端よりも上方に位置する上下長さとなるように形成されている。
【００１７】
本実施形態では、起立部４は、後壁部４０と右前壁部４１と左前壁部４２とで構成される。起立部４は、後壁部４０に、後方に向けて突出するガイド部５が設けられている。ガイド部５は、便器７における排水口７０と同じ高さに設けられる。
【００１８】
ガイド部５は、排水管２の大径部２１の周面２１０のうち内周面２１１に当たることで位置決めされるものである。本実施形態では、ガイド部５は、図１（ｄ）に示すように、大径部２１の内周面２１１に嵌まって上下方向及び左右方向の位置が位置決めされるように設けられている。
【００１９】
ガイド部５は、図１（ａ）乃至図１（ｄ）に示すように、側断面矩形枠状の角筒であり、上片部５０、右片部５１、左片部５２及び下片部５３の４枚の矩形板を一体化して構成される。ガイド部５は、上片部５０と右片部５１とでなされる角部と、上片部５０と左片部５２とでなされる角部と、下片部５３と右片部５１とでなされる角部と、下片部５３と左片部５２とでなされる角部がそれぞれ、大径部２１の内周面２１１に当たるように設けられている。各片部５０、５１、５２、５３の前後方向の長さは同じであり、ガイド部５の先端面（後端面）は、後壁部４０の後面と平行である。
【００２０】
なお、ガイド部５は、大径部２１の内周面２１１に嵌まることで、上下方向及び左右方向の位置が位置決めされる断面形状のものであればよく、断面三角形状や断面円形状や断面十字形状等の他の断面形状のものであってもよい。
【００２１】
本実施形態では、ガイド部５は、前後長さが、大径部２１の前後長さよりも短くなるように形成されている。そのため、本実施形態では、起立部４の後壁部４０の後面が、大径部２１の前端面に当たることでガイド部５の前後方向の位置決めを行う位置決め面として機能する。なお、このとき、大径部２１の前端面は周方向の全長に亘って後壁部４０の後面に当たる。
【００２２】
ガイド部５は、前後長さが、大径部２１の前後長さよりも長くなるように形成してもよい。その場合、ガイド部５の先端面（後端面）が、小径部２０の前端部の内周面に当たることでガイド部５の前後方向の位置決めを行う位置決め面として機能する。なお、このとき、ガイド部５の先端面（後端面）は周方向の全長に亘って小径部２０の前端部の内周面に当たる。
【００２３】
また、ガイド部５は、前後長さが、大径部２１の前後長さと同じ長さとなるように形成してもよい。その場合、起立部４の後壁部４０の後面と、ガイド部５の先端面（後端面）の両方が位置決め面として機能する。
【００２４】
目印部６は、ベース部３の複数箇所（本実施形態では４箇所）に設けられる。複数の目印部６は、ガイド部５に対する配置が、便器７に形成される複数の取付孔７１０の排水口７０に対する配置と同じとなるように形成される。本実施形態では、目印部６は、ベース部３上に印刷された＋マークである。なお、目印部６は、ベース部３を上下方向に貫通する孔であってもよい。
【００２５】
本実施形態では、固定補助具１００は、平面視において中心線Ｌ２を中心とする線対称な構造である。つまり、固定補助具１００は、ベース部３、起立部４、及びガイド部５が平面視において、中心線Ｌ２を中心とする線対称な構造となっている。
【００２６】
固定補助具１００は、シート材で形成される。固定補助具１００は、例えば、切り込みと折り目を有する厚紙を組み立てることで形成される。また、固定補助具１００は、切り込みと折り目を有する樹脂シートを組み立てることで形成されるものであってもよいし、樹脂を射出成形することで形成されるものであってもよい。また、固定補助具１００は、金属シートで形成されるものであってもよい。
【００２７】
以上説明した本実施形態の固定補助具１００は、便器７を単純化及び軽量化したモデルである。固定補助具１００において、起立部４及びガイド部５は便器７の排水口７０及び排水口７０の周囲の構成をなし、ベース部３は便器７の底部の構成をなす。
【００２８】
図２（ｃ）には、上述した本実施形態の固定補助具１００を用いて床１１への固定位置が決められる便器７の一例が示されている。
【００２９】
便器７は、便器本体７２と、この便器本体７２が載置されて固定される土台部７１とを備える。便器７は、便器本体７２の後部に後方に向けて開口する円筒状の排水口７０を有する。そして、便器７は、図２（ｂ）に示すように、土台部７１の複数箇所（図では４箇所）に取付孔７１０を有する。取付孔７１０は、土台部７１を上下方向に貫通する孔であり、ねじ等の固定具９０が挿通される。
【００３０】
便器本体７２は、排水口７０の他に、ボウルとリムとスカート７２１とを一体化した前部位７２０、支持フレーム７２２（図２（ｄ）参照）、排水トラップ、便器付設装置、装置収納カバー７２３、側部カバー７２４、後部カバー、便座、及び便蓋７２５等を有する。支持フレーム７２２は、前部位７２０と便器付設装置を支持し、土台部７１上に載置される。支持フレーム７２２は、底部位が土台部７１と同様の略円環状であり、この底部位にはねじ等の取付具９１が挿通される取付孔７２６が設けられている。側部カバー７２４及び後部カバーは、支持フレーム７２２に着脱自在に取り付けられる。
【００３１】
土台部７１は、略円環状であり、前部にストッパー片７１２を有し、左右の側部にスライドガイド片７１１を有する。また、土台部７１は、支持フレーム７２２の底部位の各取付孔７２６に対応する箇所に、取付具９１が打ち込まれる止め孔７１３を有する。
【００３２】
便器本体７２は、左右のスライドガイド片７１１によってスライド方向が前後方向にガイドされ、ストッパー片７１２によって後方へのスライド移動が止められる。便器本体７２は、ストッパー片７１２によって後方へのスライド移動が止められた状態で、支持フレーム７２２の底部位が土台部７１上に前後方向に亘って重なる。この状態で、便器本体７２は、取付具９１を用いて土台部７１に固定される。なお、本実施形態では、便器本体７２は、支持フレーム７２２から側部カバー７２４を外した状態で、取付具９１が打ち込まれて土台部７１に固定される。
【００３３】
なお、便器７は、上述のように便器本体７２と土台部７１とに分離可能なものに限らず、便器本体７２のみで構成するものであってもよい。その場合、固定補助具１００は、便器本体７２の支持フレーム７２２の底部位の取付孔７２６に対応する位置に目印部６を設けたものが用いられる。また、便器７は、図２（ｄ）に示す便器に限らず、便器の底部に左右方向に突出するフランジを備え、このフランジに床１１への取付用の孔が形成された便器であってもよい。
【００３４】
続いて、上述した固定補助具１００を用いた便器７の設置方法の一例について説明する。
【００３５】
まず、図１（ａ）に示すように、排水管２から前方に離れた位置で、固定補助具１００のベース部３を床１１に載置する。次いで、ガイド部５を排水管２の大径部２１の内周面２１１に当てながら、固定補助具１００を排水管２側に移動させる。ここで、固定補助具１００は、図１（ｂ）及び図１（ｃ）に示すように、排水管２の大径部２１の先端面（前端面）が起立部４の後壁部４０の後面に当たる接続位置まで、排水管２側に移動させる。このとき、固定補助具１００は、平面視において、中心線Ｌ２が排水管２の中心線Ｌ１と一直線上に位置するように排水管２に接続される。
【００３６】
固定補助具１００が前記接続位置に位置した状態で、ベース部３に設けた複数の目印部６が、便器７を床１１に固定するための固定孔８の形成位置上に位置して、床１１に固定孔８の形成位置を示す。
【００３７】
次いで、電動ドリル等のドリル装置を用いて、各目印部６を通じて床１１に固定孔８を形成する。床１１に固定孔８を形成した後、床１１の前記接続位置から固定補助具１００を取り除く。
【００３８】
以上のように固定補助具１００を用いることで、図２（ａ）に示すように、排水管２の前方の床１１に、便器７の固定位置を示す固定孔８が複数形成される。このとき、固定孔８は、固定孔８に固定された便器７の排水口７０が排水管２にまっすぐ接続されるように床１１に形成される。
【００３９】
次いで、図２（ｂ）に示すように、便器７の土台部７１を、各取付孔７１０の位置が各固定孔８に重なるように、床１１に載置する。次いで、固定具９０を各取付孔７１０を通じて各固定孔８まで打ち込んで、土台部７１を床１１に固定する。
【００４０】
次いで、図２（ｃ）に示すように、土台部７１に対して前方にずれた位置で便器本体７２を土台部７１上に載置する。このとき、土台部７１上に載置された便器本体７２は、排水口７０が排水管２から前方に離れた箇所に位置する。
【００４１】
次いで、便器本体７２の支持フレーム７２２の底部位を、土台部７１の左右のスライドガイド片７１１に当てた状態で、便器本体７２を後方にスライド移動させる。このとき、便器本体７２の支持フレーム７２２の底部位とスカート７２１が土台部７１のストッパー片７１２に当たることで、便器本体７２の後方への移動が止められる。
【００４２】
便器本体７２は、ストッパー片７１２によって後方へのスライド移動が止められた位置において、図２（ｄ）に示すように、支持フレーム７２２の底部位の取付孔７２６が、土台部７１の止め孔７１３上に重なる。またこのとき、便器本体７２は、後部の排水口７０が排水管２にまっすぐ接続される。
【００４３】
次いで、便器本体７２から側部カバー７２４を取り外し、取付具９１を支持フレーム７２２の底部位の取付孔７２６を通じて土台部７１の止め孔７１３に打ち込んで、便器本体７２を土台部７１に固定する。なお、このとき、取付具９１は床１１まで打ち込んでもよい。次いで、側部カバー７２４を便器本体７２に取り付ける。なお、側部カバー７２４は、便器本体７２を土台部７１に載置する前に、取り外していてもよい。
【００４４】
以上のようにして便器７は、排水口７０が排水管２にまっすぐ接続された状態で床１１に固定される。
【００４５】
上述のように固定補助具１００を用いることで、床１１の決まった位置に便器７の固定孔８を簡単に形成することができる。そして、この固定孔８に便器７を固定することで、従来例のように便器７の向きを床１１上で微調整する場合に比べて、床１１への便器７の位置決めを簡単に行うことができる。
【００４６】
なお、本実施形態の固定補助具１００は、上述した便器７のように、土台部７１のみ先に床１１に固定するタイプの便器７の設置において特に有用に利用できる。土台部７１は排水口７０を有するものではないため、床１１への設置にあたって向き及び位置の調整が難しい。しかし、本実施形態の固定補助具１００を用いることで、床１１に土台部７１の固定位置を示す固定孔８を簡単に形成でき、向き及び位置の微調整をしなくとも、床１１への土台部７１の位置決めを簡単に行うことができる。
【００４７】
続いて、図３に示す本発明の第二実施形態の固定補助具１１０について説明する。第一実施形態の固定補助具１００と同じ構成については図中に同じ符号を付けて詳しい説明は省略する。
【００４８】
本実施形態の固定補助具１１０は、第一実施形態の固定補助具１００とは、ガイド部５が異なる。本実施形態では、ガイド部５は、排水管２の大径部２１の周面２１０のうち外周面２１２に当たることで位置決めされるものである。
【００４９】
ガイド部５は、左右一対の挟持片５４、５５を有する。挟持片５４、５５は、矩形板状であり、互いに平行である。左右一対の挟持片５４、５５は、大径部２１の外径の長さと同じ距離だけ左右方向に離れて配置されている。つまり、ガイド部５は、左右一対の挟持片５４、５５によって排水管２の大径部２１を左右から挟み込むように設けられている。挟持片５４、５５は、前後長さが例えば大径部２１の前後長さと略同じである。左右一対の挟持片５４、５５は、起立部４の後壁部４０の後面に一体に設けられている。
【００５０】
本実施形態では、起立部４の後壁部４０の後面が、大径部２１の前端面に当たることでガイド部５の前後方向の位置決めを行う位置決め面として機能する。
【００５１】
以上説明した本実施形態の固定補助具１１０は、例えば以下のようにして排水管２に接続される。
【００５２】
排水管２から前方に離れた位置で、固定補助具１１０のベース部３を床１１に載置する。次いで、ガイド部５の左右一対の挟持片５４、５５の両方を排水管２の大径部２１の外周面２１２に当てながら、固定補助具１１０を排水管２側に移動させる。ここで、固定補助具１１０は、図３（ｂ）に示すように、排水管２の大径部２１の先端面（前端面）が起立部４の後壁部４０の後面に当たる接続位置まで、排水管２側に移動させる。
【００５３】
固定補助具１１０が前記接続位置に位置した状態で、ベース部３に設けた複数の目印部６が、便器７を床１１に固定するための固定孔８の形成位置上に位置して、床１１に固定孔８の形成位置を示す。床１１に固定孔８の形成位置を示した後は、上述した第一実施形態と同様の施工を行って、床１１に便器７を設置する。
【００５４】
本実施形態の固定補助具１１０は、前記接続位置に位置した状態で、左右一対の挟持片５４、５５の両方が大径部２１の外周面２１２に当たり、且つ排水管２の大径部２１の先端面が起立部４の後壁部４０の後面に当たる様子を上方から目視にて確認することができる。そのため、本実施形態の固定補助具１１０は、排水管２に対してまっすぐ接続させやすいものとなっている。
【００５５】
続いて、図４に示す本発明の第三実施形態の固定補助具１２０について説明する。第一実施形態の固定補助具１００と同じ構成については図中に同じ符号を付けて詳しい説明は省略する。
【００５６】
本施形態の固定補助具１２０は、第一実施形態の固定補助具１００とは、ガイド部５が異なる。本実施形態では、ガイド部５は、排水管２の大径部２１の周面２１０のうち外周面２１２に当たることで位置決めされるものである。
【００５７】
ガイド部５は、図４（ｂ）に示すように、側断面矩形状の角筒であり、上片部５６、右片部５７、左片部５８及び下片部５９の４枚の矩形板を一体化して構成される。右片部５７と左片部５８は、平行であり、大径部２１の外径の長さと同じ距離だけ左右方向に離れて配置されている。つまり、ガイド部５は、右片部５７と左片部５８によって排水管２の大径部２１を左右から挟み込むように設けられている。
【００５８】
本実施形態では、右片部５７と左片部５８は、上下方向の長さが大径部２１の外径の長さよりも長い。上片部５６と下片部５９は、平行であり、右片部５７（左片部５８）の上下長さと同じ距離だけ上下方向に離れて配置されている。上片部５６、右片部５７、左片部５８及び下片部５９は、前後長さが例えば大径部２１の前後長さと略同じである。
【００５９】
本実施形態では、起立部４の後壁部４０の後面が、大径部２１の前端面に当たることでガイド部５の前後方向の位置決めを行う位置決め面として機能する。
【００６０】
以上説明した本実施形態の固定補助具１２０は、例えば以下のようにして排水管２に接続される。
【００６１】
排水管２から前方に離れた位置で、固定補助具１２０のベース部３を床１１に載置する。次いで、ガイド部５の右片部５７と左片部５８の両方を排水管２の大径部２１の外周面２１２に当てながら、固定補助具１２０を排水管２側に移動させる。ここで、固定補助具１２０は、排水管２の大径部２１の先端面（前端面）が起立部４の後壁部４０の後面に当たる接続位置まで、排水管２側に移動させる。
【００６２】
固定補助具１２０が前記接続位置に位置した状態で、ベース部３に設けた複数の目印部６が、便器７を床１１に固定するための固定孔８の形成位置上に位置して、床１１に固定孔８の形成位置を示す。床１１に固定孔８の形成位置を示した後は、上述した第一実施形態と同様の施工を行って、床１１に便器７を設置する。
【００６３】
本実施形態の固定補助具１２０は、前記接続位置に位置した状態で、上片部５６と下片部５９がそれぞれ大径部２１の外周面２１２から上下方向に離れた箇所に位置するように、ガイド部５が設けられている。本実施形態の固定補助具１２０は、右片部５７と左片部５８を上片部５６と下片部５９とで一体化するように設けることで、右片部５７と左片部５８の平行な位置関係を保持しやすいものとなっている。つまり、本実施形態の固定補助具１２０は、排水管２への接続の際に、右片部５７と左片部５８のうち一方だけが排水管２の大径部２１に当たって変形することを抑制でき、排水管２への接続をまっすぐ行いやすいものとなっている。
【００６４】
以上まとめると、本発明の実施形態の固定補助具は、第一乃至第三実施形態の固定補助具１００、１１０、１２０のように、便器７を固定するための固定孔８の形成位置を示すために、壁１０に排水管２が設置されたトイレルームの床１１に置いて用いられる。固定補助具は、ベース部３、起立部４、ガイド部５、及び目印部６を備える。ベース部３は、床１１に置かれる。起立部４は、ベース部３から起立して設けられる。ガイド部５は、起立部４から突出して設けられ、排水管２の周面２１０に当たることで位置決めされる。目印部６は、ベース部３に上方から視認可能に設けられ、前記形成位置を示す。
【００６５】
上述した本発明の実施形態の固定補助具は、ベース部３を床１１に置き、ガイド部５を排水管２の周面２１０に当てることで、床１１における便器の固定孔の形成位置を目印部６によって示すことができる。このように本発明の実施形態の固定補助具を用いることによって、床１１の決まった位置に便器７の固定孔８を簡単に形成することができ、この固定孔８に便器７を固定することで、床１１への便器７の位置決めを簡単に行うことができる。
【００６６】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００６７】
２      排水管
３      ベース部
４      起立部
５      ガイド部
６      目印部
１０    壁
１１    床
１００  固定補助具
２１０    周面
【図１】
2015105475.tif 000003
【図２】
2015105475.tif 000004
【図３】
2015105475.tif 000005
【図４】
2015105475.tif 000006